【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
第１のアクセスポイントとページングチャネルを確立し、自局が節電モードに入る前に前記アクセスポイントと関連付けられる前記無線局であって、
各アクセスポイントについて、基本サービス設定識別子（BSSID)と、ターゲットビーコン送信時刻（TBTT)、TBTTオフセット値、ビーコン間隔、ビーコン間隔比率のうち少なくともいずれか１つが含まれる、前記第１のアクセスポイントが属するアクセスポイントグループ内に存在する１または複数のアクセスポイントについての情報を格納する位置管理部であって、前記アクセスポイントグループは１つのページングエリアを規定することを特徴とする位置管理部と、
ページングエリア識別子を内包するビーコンを受信し、該受信したビーコンが前記第１のアクセスポイントから送信されたものである場合は前記ページングエリアは変更されていないと判定し、前記第１のアクセスポイントからのビーコンまたはプローブ応答が受信されない場合は、第２のアクセスポイントのビーコンまたはプローブ応答を受信するために、該格納された情報に基づいてスキャンを実行し、前記第１のアクセスポイントに関するアクセスポイントグループ内の１または複数のアクセスポイントから送信された前記ビーコンまたは前記プローブ応答が前記スキャンに基づいて受信された場合、前記ページングエリアが変更されていないと判定する一方、前記アクセスポイントおよび前記第１のアクセスポイントに関するアクセスポイントグループ内の１または複数のアクセスポイントから送信された前記ビーコンまたは前記プローブ応答が前記スキャンに基づいて受信されなかった場合、前記ページングエリアが変更されていると判定するページングメッセージ処理部であって、前記ビーコンの新たな時刻を決定するにあたり、前記TBTT、前記TBTTオフセット値、前記ビーコン間隔、前記ビーコン間隔比率の少なくともいずれか１つを用い、プローブ応答を要求するための専用プローブ要求を送信するにあたり前記BSSIDを用いることを特徴とするページングメッセージ処理部と、
前記ページングメッセージ処理部と接続され、前記ページングエリアが変更された場合、 (a)前記第２のアクセスポイントと同期する処理、(b)自局を前記第２のアクセスポイントにて認証する処理、および(c)自局および前記第２のアクセスポイントとを関連付ける処理を含むハンドオフ処理を行うことにより、前記第２のアクセスポイントとの間で前記ページングチャネルを確立する一方、前記ページングエリアが変更されなかった場合、前記ハンドオフ処理を実行することなく、前記第２のアクセスポイントにて自局の認証を行うことなく、且つ自局を前記第２のアクセスポイントと関連付けることなく、前記第２のアクセスポイントと同期することによって、前記第２のアクセスポイントとの間に前記ページングチャネルを確立するページング制御部と
を有する無線局。
【請求項２】
前記無線局は、前記位置管理部に格納された複数のアクセスポイントから一つのアクセスポイントを選択してスキャンを実行し、該選択されたアクセスポイントに専用プローブ要求フレームを送信し、
該選択されたアクセスポイントのBSSIDには、送信先アドレスフィールドまたは前記プローブ要求フレームのBSSIDのフィールドが含まれる
ことを特徴とする請求項１に記載の無線局。
【請求項３】
前記無線局は、前記位置管理部に格納された複数のアクセスポイントから一つのアクセスポイントを選択してスキャンを実行し、前記格納された情報に基づき該選択されたアクセスポイントのTBTTを決定し、該選択されたアクセスポイントのTBTTに従って、該選択されたアクセスポイントからのビーコンをリッスンする
ことを特徴とする請求項１に記載の無線局。
【請求項４】
該受信されたビーコンのページングエリア識別子は仮想チャネルで受信される
ことを特徴とする請求項１に記載の無線局。
【請求項５】
前記アクセスポイントグループのページングエリア識別子は、前記第１のアクセスポイントが属するアクセスポイントグループを一意に識別するものである
ことを特徴とする請求項４に記載の無線局。
【請求項６】
基本サービス設定識別子（BSSID)と、(a)ターゲットビーコン送信時刻（TBTT)、(b)TBTTオフセット値、(c)ビーコン間隔、(d)ビーコン間隔比率、(e)自アクセスポイントが含まれている、ページングエリアを規定するアクセスポイントグループ内の全てのアクセスポイントのアクセスポイント識別子のうち少なくともいずれか１つとを格納する位置管理部を備える無線局であって、第２のアクセスポイントからのビーコンまたはプローブ応答を受信するために該格納された情報に基づいてスキャンを実行する無線局あてのページングメッセージを生成するページングメッセージ生成部と、
前記BSSIDと、(a)ターゲットビーコン送信時刻（TBTT)、(b)前記TBTTオフセット値、(c)前記ビーコンの間隔、(d)前記ビーコンの間隔比率割合、(e)前記位置管理部に格納されるべきアクセスポイントグループのアクセスポイント識別子のうち少なくともいずれか１つとを、前記無線局に送信するページング制御部であって、前記無線局は、前記ビーコンまたは前記プローブ応答が、該格納された情報を用いて、前記アクセスポイントが属する前記アクセスポイントグループ内にある１または複数のアクセスポイントから受信されなかった場合、前記ページングエリアは変更されたと判定し、第２のアクセスポイントが当該アクセスポイントグループ内に存在しない場合にハンドオフ処理を実行して前記第２のアクセスポイントとの間にページングチャネルを確立する一方、前記第２のアクセスポイントが当該アクセスポイントグループ内に存在する場合は前記ハンドオフ処理を実行せずに前記第２のアクセスポイントとの間に前記ページングチャネルを確立することを特徴とするページング制御部と
を有するアクセスポイントであって、
前記ページング制御部は、
前記ハンドオフ処理を用いる場合、(a)前記第２のアクセスポイントと同期する処理と、(b)前記無線局を前記第２のアクセスポイントにて認証する処理と、(c)前記無線局および前記第２のアクセスポイントとを関連付ける処理とを行うことにより、前記第２のアクセスポイントとの間に前記ページングチャネルを確立し、
前記ハンドオフ処理を用いない場合、前記第２のアクセスポイントにて前記無線局の認証を行うことなく、且つ前記無線局を前記第２のアクセスポイントと関連付けることなく、前記第２のアクセスポイントと同期することによって、前記第２のアクセスポイントと前記ページングチャネルを確立する
ことを特徴とするアクセスポイント。
【請求項７】
前記ページングメッセージ生成部は、前記無線局に対する前記ページングメッセージを送信するためのビーコンを決定する
ことを特徴とする請求項６に記載のアクセスポイント。
【請求項８】
前記無線局は、前記位置管理部に格納されている複数のアクセスポイントから１つのアクセスポイントを選択することによってアクティブスキャンまたはパッシブスキャンを実行し、
前記アクティブスキャンを実行する場合は、送信宛先アドレスフィールドまたはBSSIDフィールドに含まれる、該選択されたアクセスポイントのBSSIDについての専用プローブ要求を、該選択されたアクセスポイントに送信する一方、
前記パッシブスキャンを実行する場合は、該選択されたアクセスポイントのTBTTを該格納された情報に基づいて決定する
ことを特徴とする請求項６に記載のアクセスポイント。
【請求項９】
前記ページングチャネルは仮想チャネルである
ことを特徴とする請求項６に記載のアクセスポイント。
【請求項１０】
前記ページング制御部は、前記無線局が節電モードになっていたときに当該無線局あてのメッセージが受信されたことを、前記ページングチャネルを用いて当該無線局に対し報知する
ことを特徴とする請求項６に記載のアクセスポイント。
【請求項１１】
前記アクセスポイントは、前記無線局が前記節電モードに移行し前記メッセージを受信するまで、前記メッセージをバッファリングするバッファを更に有する
ことを特徴とする請求項６に記載のアクセスポイント。
【請求項１２】
前記ページング制御部は、前記ページングチャネルにおいてビーコンを送信し、
前記ビーコンは、前記アクセスポイントが属するアクセスポイントグループを識別するページング識別子を内包する
ことを特徴とする請求項６に記載のアクセスポイント。
【請求項１３】
第１のアクセスポイントとの間でページングチャネルを確立するステップと、
節電モードに入る前の無線局を前記第１のアクセスポイントと関連付けるステップと、
前記無線局が、各アクセスポイントについて、基本サービス設定識別子（BSSID)と、ターゲットビーコン送信時刻（TBTT)、TBTTオフセット値、ビーコン間隔、ビーコン間隔比率のうち少なくともいずれか１つが含まれる、前記第１のアクセスポイントが属するアクセスポイントグループと同一のアクセスポイントグループ内に存在する１または複数のアクセスポイントについての情報を格納するステップであって、前記アクセスポイントグループはページングエリアを規定することを特徴とするステップと、
ページングエリア識別子を内包するビーコンを受信するステップと、
前記ページングエリアが変更されたか否かを判定する判定ステップであって、（ア）該受信したビーコンが前記第１のアクセスポイントから送信されたものである場合、前記ページングエリアは変更されていないと判定するステップ、（イ）前記第１のアクセスポイントからのビーコンが受信されない場合、第２のアクセスポイントのビーコンまたはプローブ応答を受信するために、該格納された情報に基づいてスキャンを実行するステップ、（ウ）前記スキャンによって、前記第１のアクセスポイントが属するアクセスポイントグループ内の１または複数のアクセスポイントから送信された前記ビーコンまたは前記プローブ応答が受信された場合、前記ページングエリアが変更されていないと判定するステップ、および（エ）前記スキャンによっても、前記アクセスポイントおよび前記第１のアクセスポイントが属するアクセスポイントグループ内の１または複数のアクセスポイントから送信された前記ビーコンまたは前記プローブ応答が受信されなかった場合、前記ページングエリアは変更されたと判定するステップであって、前記無線局は前記ビーコンの新たな時刻を決定するにあたり、前記TBTT、前記TBTTオフセット値、前記ビーコン間隔、前記ビーコン間隔比率の少なくともいずれか１つを用い、プローブ応答を要求するための専用プローブ要求を送信するにあたり前記BSSIDを用いることを特徴とするステップを有するステップと、
前記ページングエリアが変更された場合、ハンドオフ処理を実行して第２のアクセスポイントとの間にページングチャネルを確立するステップと、
前記ページングエリアが変更されなかった場合、(ア)前記第２のアクセスポイントと同期するステップ、（イ）前記無線局を前記第２のアクセスポイントにて認証するステップ、（ウ）前記無線局および前記第２のアクセスポイントを関連付けるステップを有する前記ハンドオフ処理を実行することなく、前記第２のアクセスポイントとページングチャネルを確立するステップとを有するハンドオフ処理を実行することにより前記第２のアクセスポイントとの間に前記ページングチャネルを確立するステップと、
前記ページングエリアが変更されなかった場合は、前記第２のアクセスポイントにて前記無線局の認証を行うことなく、且つ前記無線局を前記第２のアクセスポイントと関連付けることなく、前記第２のアクセスポイントと同期することによって、前記第２のアクセスポイントとの間に前記ページングチャネルを確立するステップと
を有する方法。
【請求項１４】
前記アクセスポイントグループ内の各アクセスポイントは、当該アクセスポイントグループ内の他のアクセスポイントとの間で、互いに、前記複数のアクセスポイントの識別子およびトラフィック表示マップ（ＴＩＭ）を交換する
ことを特徴とする請求項１３に記載の方法。
【請求項１５】
少なくとも１つのアクセスポイントが、前記無線局に対し、当該アクセスポイントグループ内の全てのアクセスポイントについての前記ＴＩＭおよび前記アクセスポイント識別子を含む信号を送信するステップを更に有する
ことを特徴とする請求項１３に記載の方法。
【請求項１６】
前記ビーコンは仮想チャネルで受信される
ことを特徴とする請求項１３に記載の方法。
【請求項１７】
前記無線局が前記節電モードにあったときに前記無線局宛のメッセージを受信したことを、前記無線局に報知するステップを更に有する
ことを特徴とする請求項１３に記載の方法。
【請求項１８】
前記ビーコンは、前記アクセスポイントグループを一意に識別するページング識別子を含む
ことを特徴とする請求項１３に記載の方法。
【請求項１９】
節電モードで動作可能な無線局であって、識別子、トラフィック表示マップ（ＴＩＭ）、および（ア）ターゲットビーコン送信時刻（TBTT)、（イ）TBTTオフセット値、（ウ）ビーコン間隔、（エ）ビーコン間隔比率のうち少なくともいずれか１つを含む情報を格納する位置管理部を備える無線局と、
複数のアクセスポイントグループであって、各アクセスポイントグループは、２以上のアクセスポイントを含むアクセスポイントグループの少なくとも１つについて少なくとも１つのアクセスポイントを有し、各アクセスポイントグループ内の少なくとも１つのアクセスポイントについての範囲は、各アクセスポイントグループに対する１つのページングエリアを規定するものであり、各アクセスポイントグループ内の複数のアクセスポイントは、当該アクセスポイントグループ内のアクセスポイントと、当該アクセスポイントに関する、（ア）識別子、（イ）トラフィック表示マップ、および（ウ）（ａ）ターゲットビーコン送信時刻（TBTT)、（ｂ）TBTTオフセット値、（ｃ）ビーコン間隔、（ｄ）ビーコン間隔比率のうち少なくともいずれか１つを交換し、
少なくとも１つのアクセスポイントグループ内の少なくとも１つのアクセスポイントは、前記無線局へ、前記無線局の位置管理部に格納されるべき、少なくとも１つのアクセスポイント群の内の全てのアクセスポイントについての、(ア)ＴＩＭ、（イ）アクセスポイント識別子および（ウ）（ａ）ＴＢＴＴ、（ｂ）ＴＢＴＴオフセット値、（ｃ）ビーコン間隔、（ｄ）ビーコン間隔比率の少なくともいずれか１つを有する信号を送信することによって、前記無線局に対し、新たなアクセスポイントからビーコンまたはプローブ応答を受信するために該格納された情報に基づいてスキャンを実行することを許可し、
第１のアクセスポイントは、前記無線局が節電モードにあって前記第１のアクセスポイントに対応するページングエリアにある場合に前記無線局を呼び出すためのページングチャネルを用い、
前記無線局は、前記第１のアクセスポイントが、前記無線局が前記節電モードに移行する前に前記無線局との間に確立されたページングチャネルを有する第２のアクセスポイントと同一のアクセスポイントグループに属していない場合、ハンドオフ処理を実行し、
前記無線局は、前記第１のアクセスポイントが、前記無線局が前記節電モードに移行する前に前記無線局との間に確立されたページングチャネルを有する第２のアクセスポイントと同一のアクセスポイントグループに属している場合、ハンドオフ処理を実行せず、
前記第１のアクセスポイントが、前記第２のアクセスポイントと同一のアクセスポイントグループに属していない場合、前記ページ制御部は、（ア)前記第１のアクセスポイントと同期し、（イ）前記無線局を前記第２のアクセスポイントにて認証し、および（ウ）前記無線局および前記第１のアクセスポイントを関連付けることにより前記ページングチャネルを前記第１のアクセスポイントとの間に確立し、
前記第１のアクセスポイントが、前記第２のアクセスポイントと同一のアクセスポイントグループに属している場合、前記ページング制御部は、前記第１のアクセスポイントにて前記無線局の認証を行うことなく、且つ前記無線局を前記第１のアクセスポイントと関連付けることなく、前記第１のアクセスポイントと同期することによって、前記第１のアクセスポイントとの間に前記ページングチャネルを確立する
ことを特徴とする通信システム。
【請求項２０】
前記ページングチャネルは仮想チャネルである
ことを特徴とする請求項１９に記載の通信システム。
【請求項２１】
前記第１のアクセスポイントは、前記ページングチャネルを用いて、前記無線局が前記節電モードにあったときに前記無線局宛のメッセージを受信したことを前記無線局に報知する
ことを特徴とする請求項１９に記載の通信システム。
【請求項２２】
前記第１のアクセスポイントは、前記無線局が前記節電モードになり前記メッセージを受信するまで、前記メッセージをバッファリングする
ことを特徴とする請求項１９に記載の通信システム。
【請求項２３】
前記第１のアクセスポイントは、前記ページングチャネルを用いてビーコンを送信し、
当該ビーコンは、前記第１のアクセスポイントが属するアクセスポイントグループを一意に識別するページング識別子を含む
ことを特徴とする請求項１９に記載の通信システム。
【請求項２４】
複数のアクセスポイントグループを有する通信システムであって、
各アクセスポイントグループは、２以上のアクセスポイントを含むアクセスポイントグループの少なくとも１つについて少なくとも１つのアクセスポイントを有し、各アクセスポイントグループ内の各アクセスポイントは、各アクセスポイントグループに対する１つのページングエリアを定義するページングエリア識別子を使用し、
前記ページングエリア識別子は、各グループに対し前記ページングエリア内で、各グループ内のアクセスポイントからのページングの一部としてブロードキャストを実行する際に、各アクセスポイントグループに一意に定められ、
各アクセスポイントグループ内の複数のアクセスポイントは、当該アクセスポイントグループ内のアクセスポイントと、当該アクセスポイントに関する、（ア）識別子、（イ）トラフィック表示マップ（ＴＩＭ）、および（ウ）（ａ）ターゲットビーコン送信時刻（TBTT)、（ｂ）TBTTのオフセット値、（ｃ）ビーコン間隔、（ｄ）ビーコン間隔比率のうち少なくともいずれか１つを交換し、
少なくとも１つのアクセスポイントグループ内の少なくとも１つのアクセスポイントは、無線局へ、当該無線局の位置管理部に格納されるべき、少なくとも１つのアクセスポイントグループの内の全てのアクセスポイントについての、(ア)ＴＩＭ、（イ）アクセスポイント識別子および（ウ）（ａ）前記TBTT、（ｂ）前記TBTTオフセット値、（ｃ）前記ビーコン間隔、（ｄ）前記ビーコン間隔比率の少なくともいずれか１つを有する信号を送信し、
前記無線局は、新たなアクセスポイントが同一アクセスポイントグループ内に存在する場合、完全なハンドオフ処理を実行することなく、当該新たなアクセスポイントからビーコンまたはプローブ応答を受信して当該新たなアクセスポイントとの間でページングチャネルを確立するために、スキャンを実行する
ことを特徴とする通信システム。
【請求項２５】
各アクセスポイントグループ内の複数のアクセスポイントは、前記無線局が節電モードにあったときに当該無線局あてのメッセージを受信した旨を、前記ページングチャネルを用いて報知し、
前記ページングチャネルは仮想チャネルである
ことを特徴とする請求項２４に記載の通信システム。
【請求項２６】
前記ページング識別子は、一意に割り当てられたページングエリア識別番号を含む
ことを特徴とする請求項２４に記載の通信システム。
【請求項２７】
前記一意に定められたページングエリア識別番号は、前記１以上のアクセスポイントによって、対応するアクセスポイントグループ内に対してブロードキャストされるビーコンパケットに内包される
ことを特徴とする請求項２４に記載の通信システム。
【請求項２８】
前記無線局を更に有することを特徴とする請求項２４に記載の通信システム。
【請求項２９】
節電モードで動作する前記無線局を更に有し、
少なくとも１つのアクセスポイントは、前記無線局が、前記節電モードにあって且つ前記少なくとも１つのアクセスポイントと関連付けられたページングエリアに存在する場合、ページングを実行して、当該無線局あてのメッセージが受信されたことを当該無線局に報知する
ことを特徴とする請求項２４に記載の通信システム。
【請求項３０】
前記第２のアクセスポイントが同一のアクセスポイントグループに属していない場合、前記ページング制御部は、前記第２のアクセスポイントのタイミング情報を適用することにより前記第２のアクセスポイントに同期し、
前記ページング制御部は、前記無線局の識別性を、前記第２のアクセスポイントと関連付けるために認証された無線局の数として確立することにより、前記無線局を前記第２のアクセスポイントにて認証し、
前記ページング制御部は、前記第２のアクセスポイントと前記無線局との間のマッピングを確立することにより、前記無線局および前記第２のアクセスポイントを関連づけ、
前記第２のアクセスポイントが同一のアクセスポイントグループに属している場合、前記ページング制御部は、前記第２のアクセスポイントのタイミング情報を適用することにより前記第２のアクセスポイントと同期する
ことを特徴とする請求項１に記載の無線局。
【請求項３１】
前記第２のアクセスポイントが同一のアクセスポイントグループに属していない場合、前記ページング制御部は、前記第２のアクセスポイントのタイミング情報を適用することにより前記第２のアクセスポイントに同期し、
前記ページング制御部は、前記無線局の識別性を、前記第２のアクセスポイントと関連付けるために認証された無線局の数として確立することにより、前記無線局を前記第２のアクセスポイントにて認証し、
前記ページング制御部は、前記第２のアクセスポイントと前記無線局との間のマッピングを確立することにより、前記無線局および前記第２のアクセスポイントを関連づけ、
前記第２のアクセスポイントが同一のアクセスポイントグループに属している場合、前記ページング制御部は、前記第２のアクセスポイントのタイミング情報を適用することにより前記第２のアクセスポイントと同期する
ことを特徴とする請求項６に記載のアクセスポイント。
【請求項３２】
前記同期は、前記第２のアクセスポイントのタイミング情報を適用することにより行われ、
前記認証は、前記第前記無線局の識別性を、前記第２のアクセスポイントと関連付けるために認証された無線局の数として確立することによって行われ、
前記関連付けは、前記第２のアクセスポイントと前記無線局との間のマッピングを確立することによって行われる
ことを特徴とする請求項１３に記載の方法。